(57)【要約】【目的】  複数本の脚体と、脚体に着脱自在な天板支持用ブラケットと、天板支持用ブラケットと連結される天板より構成されるシンプルな形態だが、使用目的に応じ種々のオプションを取付可能で、上方に荷重がかかる仕様に発展しても、強度補強を簡単に行なうことができるデスクシステムを提供する。【構成】  少なくとも、複数本の脚体と、脚体に着脱自在に連結される天板支持用ブラケットと、天板支持用ブラケットと連結される天板より構成され、脚体は横断面略正方形状で、少なくとも一角部上端に、天板支持用ブラケットが連結されるブラケット連結部を有し、ブラケット連結部が形成された角部を形成する２側壁の上下方向に幕板取付溝が形成されており、さらに、天板支持用ブラケットには、天板の大きさや使用状態に対応して天板支持用ブラケット間に配設される枠体補強桟が連結される補強桟連結部が形成されているものである。【選択図】    図９
2006280797.tif 000002
【特許請求の範囲】
【請求項１】
少なくとも、複数本の脚体と、脚体に着脱自在に連結される天板支持用ブラケットと、天板支持用ブラケットと連結される天板より構成され、脚体は横断面略正方形状で、少なくとも一角部上端に、天板支持用ブラケットが連結されるブラケット連結部を有し、ブラケット連結部が形成された角部を形成する２側壁の上下方向に幕板取付溝が形成されていることを特徴とするデスクシステム。
【請求項２】
天板支持用ブラケットには、天板の形状、大きさ、使用状態に対応して、天板支持用ブラケット間に配設される枠体補強桟が連結される補強桟連結部が形成されている事を特徴とする請求項１に記載のデスクシステム。
【請求項３】
補強桟連結部は、天板支持用ブラケットの上方あるいは下方のいずれからも枠体補強桟の連結作業が可能なように構成されていることを特徴とする請求項２に記載のデスクシステム。
【請求項４】
複数本の脚体と、脚体に着脱自在に連結される天板支持用ブラケットと、天板支持用ブラケットと連結される天板より構成され、脚体は横断面略正方形状で、少なくとも一角部上端に、天板支持用ブラケットが連結されるブラケット連結部を有し、ブラケット連結部が形成された角部を形成する２側壁の上下方向に幕板取付溝が形成され、並設された少なくとも２本の脚体は、使用者側を除く天板の縁部の外側に位置し、該脚体の上端には脚体と横断面同形の増設用支柱が連結可能で、幕板取付溝と幕板取付溝に連続する増設用支柱の区画用パネル取付溝には、幕板及び区画用パネルが着脱自在に取付け可能に構成されていることを特徴とするデスクシステム。
【請求項５】
天板支持用ブラケットには、天板の形状、大きさ、使用状態に対応して、天板支持用ブラケット間に配設される枠体補強桟が連結される補強桟連結部が形成されている事を特徴とする請求項４に記載のデスクシステム。
【請求項６】
補強桟連結部は、天板支持用ブラケットの上方あるいは下方のいずれからも枠体補強桟の連結作業が可能なように構成されていることを特徴とする請求項５に記載のデスクシステム。
【請求項７】
増設用支柱は、区画用パネル取付溝が形成された２つの側壁で形成される角部よりに、区画用パネル取付溝に平行して形成されたキャビネット用ブラケットが取付けられるブラケット支持溝の底壁に、上下に所定間隔を有してキャビネット用ブラケットの係止孔が形成されていることを特徴とする請求項４又は請求項５又は請求項６に記載のデスクシステム。
【発明の詳細な説明】
【技術分野】
【０００１】
本発明は、複数本の脚体と、脚体に着脱自在に連結される天板支持用ブラケットと、天板支持用ブラケットと連結される天板より構成されるデスクを基本的な構成要素となし、この基本的な構成要素となしたデスクに種々のオプションを付加することにより、異なった形態で、目的に応じた使用ができる複合的なデスクに発展可能なデスクシステムに関するものである。
【背景技術】
【０００２】
この種のデスクシステムとしては、直立体と、直立体に取付けることができるブラケットと、ブラケットと連結される天板よりなり、直立体は、長手方向に延在する突出部の形をなす横断面をもち、隣接する突出部の各対が対応する長手方向座部を画成し、前記突出部と前記座部が、前記ブラケットと該構造を補完する分割素子、アーム、ベース部片を夫々位置決めするために、対応するクランプ、連結手段、継手と連結するよう形成されたものがあった。（例えば、特許文献１参照。）
【０００３】
この場合、隣接する突出部の各対が対応する長手方向座部を画成しているので、少なくとも２つの突出部がなければ、分割素子等を位置決めする為の長手方向座部を構成することが出来ず、少なくとも所定の角度で開く長手方向座部がなければ、前面側とサイド側に分割素子を配置できない。従って、この直立体は特異な断面形状となり、オプション部材を付加することにより、異なった形態で、目的に応じた使用ができる複合的なデスクシステムを得るために必要なシンプルな初めの形態の構造体（デスク）が、この直立体の特異な断面形状によって、目的から外れた形態となっていた。
【０００４】
又、直立体と、直立体に取付けることができるブラケットと、ブラケットと連結される天板より基本的な形態の構造体（デスク）が構成されているので、天板面積が比較的小さけば、構造体に側方荷重が負荷されても、強度的に十分に耐え得るが、天板面積が大きくなって直立体間が広がったり、あるいは、天板面積が小さくても、直立体を上方に連結し、これにキャビネットを取付けるなど、上方に荷重がかかる仕様に展開したりすると、ブラケットと天板を連結するだけでは強度的に十分でない等の問題があった。
【０００５】
【特許文献１】特開平１０−８５０６９号
【発明の開示】
【発明が解決しようとする課題】
【０００６】
本発明は、基本的な構成のときはシンプルな形態の構造体を得ることができ、この基本的な構成の構造体に使用目的に応じて、種々のオプション部材を取付可能とし、この時、上方に荷重がかかる仕様に展開しても、強度の補強を素早く行なうことができるデスクシステムを提供することを課題とする。
【課題を解決するための手段】
【０００７】
そこで、上記課題を解決する為、本発明が第１の手段として構成したところは、少なくとも、複数本の脚体と、脚体に着脱自在に連結される天板支持用ブラケットと、天板支持用ブラケットと連結される天板より構成され、脚体は横断面略正方形状で、少なくとも一角部上端に、天板支持用ブラケットが連結されるブラケット連結部を有し、ブラケット連結部が形成された角部を形成する２側壁の上下方向に幕板取付溝が形成されているものである。
【０００８】
次に、本発明が第２の手段として構成したところは、第１の手段に加え、天板支持用ブラケットには、天板の形状、大きさ、使用状態に対応して、天板支持用ブラケット間に配設される枠体補強桟が連結される補強桟連結部が形成されているものである。
【０００９】
次に、本発明が第３の手段として構成したところは、第２の手段に加え、補強桟連結部は、天板支持用ブラケットの上方あるいは下方のいずれからも枠体補強桟の連結作業が可能なように構成されているものである。
【００１０】
次に、本発明が第４の手段として構成したところは、複数本の脚体と脚体に着脱自在に連結される天板支持用ブラケットと天板支持用ブラケットと連結される天板より構成され、脚体は横断面略正方形状で、少なくとも一角部上端に、天板支持用ブラケットが連結されるブラケット連結部を有し、ブラケット連結部が形成された角部を形成する２つの側壁の上下方向に幕板取付溝が形成され、並設された少なくとも２本の脚体は、使用者側を除く天板の縁部の外側に位置し、該脚体の上端には脚体と横断面同形の増設用支柱が連結可能で、幕板取付溝と幕板取付溝に連続する増設用支柱の区画用パネル取付溝には、幕板及び区画用パネルが着脱自在に取付け可能に構成されているものである。
【００１１】
次に、本発明が第５の手段として構成したところは、第４の手段に加え、天板支持用ブラケットには、天板の形状、大きさ、使用状態に対応して、天板支持用ブラケット間に配設される枠体補強桟が連結される補強桟連結部が形成されているものである。
【００１２】
次に、本発明が第６の手段として構成したところは、第５の手段に加え、補強桟連結部は、天板支持用ブラケットの上方あるいは下方のいずれからも枠体補強桟の連結作業が可能なように構成されているものである。
【００１３】
次に、本発明が第７の手段として構成したところは、第４の手段、又は、第５の手段、又は、第６の手段に加え、増設用支柱は、区画用パネル取付溝が形成された２つの側壁で形成される角部よりに、区画用パネル取付溝に平行して形成されたキャビネット用ブラケットが取付けられるブラケット支持溝の底壁に、上下に所定間隔を有してキャビネット用ブラケットの係止孔が形成されているものである。
【発明の効果】
【００１４】
請求項１に記載の発明によると、脚体が横断略正方形で一角部上端にブラケット連結部をもうけ、ブラケット連結部が形成された角部を形成する２側壁に幕板取付溝を形成しているので、天板支持用ブラケットが天板と連結された状態で、ブラケット連結部が形成された角部と対向する角部を形成する２側壁は天板の外面側に位置し、この２側壁には幕板取付溝が形成されていないので、基本的な構成のときはシンプルな形態の構造体を得ることができる。
【００１５】
請求項２に記載の発明によると、前記効果に加え、天板支持用ブラケットには枠体補強桟が連結されるための補強桟連結部が形成されているので、天板が大きいときや、上方に荷重がかかる仕様のときは、枠体補強桟で連結しておくことで、必要な強度を得る事が出来る。
又、枠体補強桟は天板支持用ブラケットと連結されるので、枠体補強桟は脚体のブラケット連結部より天板の内側寄りに位置することとなり、使用者の通常姿勢では、天板の縁部で枠体補強桟は隠蔽され、構造体の基本的な構成のときのシンプルな形態を損なうことがない。
さらに、枠体補強桟と天板支持用ブラケットを連結すると、自立した天板支持体（複数本の脚体と、脚体に連結された天板支持用ブラケットと、天板支持用ブラケット間を連結する枠体補強桟よりなる構造体）が構成されるので、この天板支持体を次々構成し、必要数構成した後、天板支持体に天板を順次取付け可能であり、組み立ての作業性が一段と向上する。
【００１６】
請求項３に記載の発明によると、補強桟連結部は、枠体補強桟の天板支持用ブラケットの上方あるいは下方のいずれからも、連結作業が可能な構成となっているので、当初、枠体補強桟が必要ない大きさの天板等で使用されていたデスクを、上方にキャビネットを取付けた仕様に発展させた場合等、構造体の強度アップが必要になった時には、脚体等を組立て直さなくても、天板支持用ブラケット間に下方から枠体補強桟を連結することで、必要な強度アップを簡単に行なうことが可能である。
【００１７】
請求項４に記載の発明によると、並設された少なくとも２本の脚体を、使用者側を除く天板の縁部の外側に位置し、該脚体の上端に脚体と横断面同形の増設用支柱を連結可能とし、幕板取付溝と、幕板取付溝に連続する増設用支柱の区画用パネル取付溝には、幕板及び区画用パネルが着脱自在に取付け可能に構成しているので、使用目的に応じて、幕板あるいは区画用パネルを取付る事により種々の形態、使用目的に応じたデスクを得る事が出来る。
【００１８】
請求項５に記載の発明によると、前記効果に加え、天板支持用ブラケットには枠体補強桟が連結されるための補強桟連結部が形成されているので、天板が大きいときや、上方に荷重がかかる仕様のときは、枠体補強桟で連結しておくことで、必要な強度を得る事が出来る。
又、枠体補強桟は天板支持用ブラケットと連結されるので、枠体補強桟は脚体のブラケット連結部より天板の内側寄りに位置することとなり、使用者の通常姿勢では、天板の縁部で枠体補強桟は隠蔽され、構造体の基本的な構成のときのシンプルな形態を損なうことがない。
さらに、枠体補強桟と天板支持用ブラケットを連結すると、自立した天板支持体（複数本の脚体と、脚体に連結された天板支持用ブラケットと、天板支持用ブラケット間を連結する枠体補強桟よりなる構造体）が構成されるので、先に構成しておいた天板支持体と天板４とを下方からのネジ止め作業で連結可能であるため、床面上に裏返しに置いた天板４に脚体１を取付ける組み立て方法と比較して、裏返しのデスクを反転させる手間が要らず、組み立て時の作業性が非常に向上する。
【００１９】
請求項６に記載の発明によると、前記効果に加え、補強桟連結部は、枠体補強桟の天板支持用ブラケットの上方あるいは下方のいずれからも、連結作業が可能な構成となっているので、当初、枠体補強桟が必要ない大きさの天板等で使用されていたデスクを、上方にキャビネットを取付けた仕様に発展させた場合等、構造体の強度アップが必要になった時には、脚体等を組立て直さなくても、天板支持用ブラケット間に下方から枠体補強桟を連結することで、必要な強度アップを簡単に行なうことが可能である。
【００２０】
請求項７に記載の発明によると、前記効果に加え、増設用支柱は、区画用パネル取付溝が形成された２つの側壁で形成される角部よりに、区画用パネル取付溝に平行して形成されたキャビネット用ブラケットが取付けられるブラケット支持溝の底壁に、上下に所定間隔を有してキャビネット用ブラケットの係止孔が形成されているもので、キャビネットの上下方向の取付け位置を適宜選択することができる。
【発明を実施するための最良の形態】
【００２１】
本発明は、複数本の脚体と脚体に着脱自在に連結される天板支持用ブラケットと天板支持用ブラケットと連結される天板より構成され、脚体は横断面略正方形状で、少なくとも一角部上端に、天板支持用ブラケットが連結されるブラケット連結部を有し、ブラケット連結部が形成された角部を形成する２つの側壁の上下方向に幕板取付溝が形成され、並設された少なくとも２本の脚体は、使用者側を除く天板の縁部の外側に位置し、該脚体の上端には脚体と横断面同形の増設用支柱が連結可能で、幕板取付溝と幕板取付溝に連続する増設用支柱の区画用パネル取付溝には、幕板及び区画用パネルが着脱自在に取付け可能に構成天板支持用ブラケットには、天板の形状、大きさ、使用状態に対応して、天板支持用ブラケット間に配設される枠体補強桟が連結される補強桟連結部が形成され、増設用支柱は、区画用パネル取付溝が形成された２つの側壁で形成される角部よりに、区画用パネル取付溝に平行して形成されたキャビネット用ブラケットが取付けられるブラケット支持溝の底壁に、上下に所定間隔を有してキャビネット用ブラケットの係止孔が形成されているものである。
【実施例１】
【００２２】
以下、添付図面に基づいて実施例を詳述する。
図１において、符号１・・・は脚体を示し、符号２・・・は脚体１の内面側角部上端に着脱自在に連結された天板支持用ブラケットを示し、符号３・・・は、天板支持用ブラケット２・・・・間に端部が着脱自在に連結された枠体補強桟を示し、符号４は、各角部裏面が天板支持用ブラケット２と連結された平面視略Ｌ字形の天板を示している。
【００２３】
図２において、符号５・・・は、脚体１・・・の上端に着脱自在に連結される脚体１と横断面同形の増設用支柱を示し、図３において符号６・・・は増設用支柱５、５間に取付けられる区画用パネルを示し、符号７・・・は、脚体１、１間に取付けられる幕板を示し、符号８は、増設用支柱５にキャビネット用ブラケット８０・・を介して取付けられるキャビネットを示し、符号９は、後端部は増設用支柱５に、前端部は天板４の前端部の脚体１にそれぞれ取付けられる机上用サイドパネルを示し、符号４０は増設用支柱５、５間に載置棚用ブラケット４１・・を介して取付けられる机上用載置棚を示している。
【００２４】
脚体１は、図４に示すように、それぞれが直角に交差し、外面を平坦面とした外面側側壁１１、１１と内面側側壁１２、１２より、上下端面が開口し内部を空洞となした増設用支柱５を連結するための空洞連結部１０を内部に有する横断面略正方形状に形成されている。
そして、内面側側壁１２、１２からなる内面側角部１２０の上端部分に、上下に所定間隔を有して空洞連結部１０方向に連結用螺孔１２１、１２１が形成され、天板支持用ブラケット２が連結されるブラケット連結部１２２が形成され、内面側角部１２０に連設して、上下方向に渡って、キャビネット用ブラケット８０等が取付けられるブラケット支持溝１３、１３が形成され、内面側角部１２０と反対方向でブラケット支持溝１３、１３に平行して、上下方向に渡って幕板取付溝１４、１４が形成され、各角部内面に上下方向に渡って、アジャスター用細溝１８・・・が形成され、下端部にアジャスター取付座１５を介してアジャスター１６が設けられ、上端部に脚体キャップ１７が取付けられている。
【００２５】
幕板取付溝１４は、所定間隔を有して互いの方向に突出して外面端部側に形成された係止突片１４１、１４１と、係止突片１４１、１４１間よりやや小さめの巾を有して空洞連結部１０側に連設された保持凹溝１４２を有している。
そして、保持凹溝１４２の底壁１４３の上下端部には増設用支柱５を連結するための連結孔１４４・・・（図５、図７に示す。）が形成され、底壁１４３には、幕板７等を支持する為の支持部材嵌合孔１４５・・・が、上下方向に所定間隔を有して複数個形成されている。
【００２６】
ブラケット支持溝１３は、内面側角部１２０の空洞連結部１０側に形成された上下方向に貫通するブラケット逃がし孔１３０に挿通し、上下方向に所定間隔を有して形成された複数個の係止孔１３２・・・を有している。
【００２７】
アジャスター取付座１５は、図５、図６に示すように脚体１の下端面を閉塞する下部閉塞部１５１と、下部閉塞部１５１の中央部分で上方に突出する固定部１５２より構成され、下部閉塞部１５１の各周辺縁部の中央には前記幕板取付溝１４の下端位置に対応して、幕板取付溝１４より小さ目の切り欠き部１５３が形成され、固定部１５２の中央部上下方向にアジャスター用螺孔１５４が形成され、下部閉塞部１５１の角部内側で、アジャスター用細溝１８・・・の内側部分に対応する位置に皿状の取付孔１５０・・・が形成されている。
【００２８】
アジャスター取付座１５は上記の如く構成され、固定部１５２を脚体１の下端から空洞連結部１０の下端部に嵌入して、下部閉塞部１５１を脚体１の下端面に当接させると共に、固定部１５２を底壁１４３、１４３の内側に位置させて、取付孔１５０・・・をアジャスター用細溝１８・・・の下端を一致させ、皿頭の連結ネジ１７０、１７０にて脚体１の下端にアジャスター取付座１５を連結させる。
そして、アジャスター取付座１５のアジャスター用螺孔１５４に下方からアジャスター１６の螺軸１６１を螺合してアジャスター１６を取り付けたり、あるいは同様にしてキャスター（図示せず。）を脚体１の下面に取り付けたりする。
【００２９】
符号１５６は、前記幕板取付溝１４及びブラケット支持溝１３を隠蔽する溝用隠蔽部材を示している。
溝用隠蔽部材１５６は、幕板取付溝１４の係止突片１４１、１４１の内側に位置し、外側に係止突片１４１、１４１の内側端面に係止する係止凸部１５７・・・が形成された所定の間隔を有する係止脚１５８、１５８と、係止脚１５８、１５８の外面側端部に連設された表面側隠蔽部１５９より、合成樹脂材より形成されている。
【００３０】
そして、表面側隠蔽部１５９は、一方の係止脚１５８からの外方への突出寸法を、他方の係止脚１５８からの外方への突出寸法より大きく形成することにより、取付方向を変える（上下逆に使用する）ことにより、幕板取付溝１４のみを隠蔽してブラケット支持溝１３は隠蔽せずに使用可能とした状態（図６に仮想線で示す状態）、あるいは、幕板取付溝１４を隠蔽すると共にブラケット支持溝１３も隠蔽する状態（図６に実線で示す状態）で使用することができる。
【００３１】
そして取付状態で、溝用隠蔽部材１５６の係止脚１５８、１５８の下端縁は、切り欠き部１５３が幕板取付溝１４より小さ目に形成されているので、切り欠き部１５３の周縁に当接して、不測な下方への落下が防止されると共に、係止脚１５８、１５８間と表面側隠蔽部１５９間の下端縁下方が切り欠き部１５３に位置するので、溝用隠蔽部材１５６を取外すときは、この切り欠き部１５３から表面側隠蔽部１５９の裏面側に指先等を絡ませて手前に引き出す事で容易に取外すことが可能である。
【００３２】
脚体キャップ１７は、図７、図８に示すように脚体１の上端面を閉塞する上部閉塞部１７１と、上部閉塞部１７１の４隅内側で下方に突出し、前記脚体１のアジャスター用細溝１８・・・に一部が嵌合し、各隅部内面に当接する当接突部１７２・・・より構成され、脚体１の上端から上部閉塞部１７１が脚体１の上端面に当接するまで、当接突部１７２・・・の一部をアジャスター用細溝１８・・・に圧入して取付けられる。
【００３３】
天板支持用ブラケット２は、脚体１の内面側角部１２０の上端に着脱自在に連結される脚体連結部２１と、脚体連結部２１の上端部に連設され、脚体１の対角線方向で脚体１と遠ざかる方向に突出する天板連結部２２と、補強桟連結部２３よりアルミダイカスト材にて一体に形成されている。
脚体連結部２１は、脚体１の内面側角部１２０に外嵌するＶ字形で、上下方向にわたって脚体１側に形成された角部嵌合溝２１１と、脚体１の対角線方向で脚体１に向かって、角部嵌合溝２１１を貫通し、脚体１に形成された連結用螺孔１２１、１２１に対応する間隔を有して形成されたブラケット連結孔２１２、２１２を有し、連結ネジ２０・・・にて脚体１の上端角部内面に連結されている。
【００３４】
天板連結部２２は、脚体連結部２１の上端に連設され脚体１の対角線方向で脚体１と遠ざかる方向に突出する腕部２２１と、腕部２２１の先端に連設され、平面視略正方形状をなす天板受部２２２よりなり、天板受部２２２の上面中央部には、天板４の裏面所定位置に形成された位置決め用嵌入孔（図示せず。）に嵌入する嵌入突起２２３、２２３が上方に突出して形成され、四方四隅には、天板４の裏面所定位置に形成された天板連結用螺孔（図示せず。）に一致する連結孔２２４・・・が形成されている。
【００３５】
補強桟連結部２３は、脚体１と反対側の２側辺部２２５、２２５に形成された補強桟連結用切欠き２３１、２３１と、補強桟連結用切欠き２３１、２３１の内側に形成された連結用ナット嵌合凹部２３２、２３２と、連結用ナット嵌合凹部２３２、２３２の中央部に形成された上下方向に貫通する連結用貫通孔２３３、２３３と、連結用ナット嵌合凹部２３２、２３２を挟んで表側方向に窪む、裏面側に形成された嵌合凹溝２３４・・・より構成されている。
【００３６】
すなわち、天板支持用ブラケット２は、脚体１の対角線方向で、脚体１から遠ざかる方向に突出する腕部２２１によって天板４の周縁端面より内面側に突出し、さらに脚体１と反対側の端部に天板受部２２２を連設しているので、この天板受部２２２に形成された補強桟連結部２３に枠体補強桟３を連結すると、枠体補強桟３は天板周縁端面から奥まったところに位置する事となり、通常姿勢の使用者の視線からでは枠体補強桟３は天板４に隠蔽されるので、天板４と脚体１・・・と天板支持用ブラケット２・・・からなる構造体の基本的な構成のときのシンプルな形態を損なうことがなく、美観に優れている。
【００３７】
枠体補強桟３は、アルミ材よりなる縦断面略縦長長方形状の繋ぎ部材３１と、繋ぎ部材３１の両端に連結される補強桟連結金具３２、３２より構成されている。
繋ぎ部材３１は、両端部の内面上下端部長手方向に内部に螺孔が形成された連結用筒部３１１、３１１を有し、内面側端面の上下端部から上下方向から互いに向き合う上下係止突条３１２、３１２を突出せしめて、上下スライド案内溝３１３、３１３を内面側端面の長手方向に形成している。
上下スライド案内溝３１３、３１３には、図１３に示すように、ケーブルダクト３１４のダクト取付金具３１５が係止され、ケーブルダクト３１４が左右にスライド自在に支持される。
【００３８】
ケーブルダクト３１４は縦断面略上向きコ字形に形成され、長手方向の複数箇所にダクト取付金具３１５が連結されている。
ダクト取付金具３１５は、上端部に上下スライド案内溝３１３、３１３内に位置するスライド支持片３１９と、スライド支持片３１９の下端部を下係止突条３１２の外側に屈曲させ下係止突条３１２の上端面にて支持される載置部３１８と、載置部３１８の下係止突条３１２の外側端部を下方に屈曲せしめた垂下片３１０等を上端部に有する縦断面略Ｌ字形に形成されている。
【００３９】
そして、スライド支持片３１９の上端部分を上係止突片３１７となし、下端の一部分を下方に突出せしめて下係止突片３１７とし、スライド支持片３１９の上端部分に固定ネジ３１６・・を取付け、固定ネジ３１６・・・の頭部と上係止突片３１７とで上係止突条３１２を挟持することにより、上下方向および左右方向への移動を阻止している。
すなわち、ダクト取付金具３１５と一体に連結されているケーブルダクト３１４も左右方向及び上下方向への移動が阻止される。
【００４０】
そして、固定ネジ３１６・・・を緩めて上係止突片３１７の挟持状態を解除すると、ケーブルダクト３１４は左右方向に移動可能となるが、固定ネジ３１６・・・の螺軸部分が上係止突条３１２の下端に近接しているので、ケーブルダクト３１４（ダクト取付金具３１５）は上方に持ち上がることがない。
すなわち、ケーブルダクト３１４は左右に移動中に枠体補強桟３から外れて落下することがなく安全である。
【００４１】
一方、ケーブルダクト３１４を枠体補強桟３から取外すときは、上係止突片３１７の上端と上スライド案内溝３１３の上端間には所定の隙間が形成されているので、固定ネジ３１６を取り外し、ケーブルダクト３１４（ダクト取付金具３１５）を持ち上げて下係止突片３１７の下端を下係止突片３１７の上端を越えさせて外方に持ち出し、ケーブルダクト３１４を枠体補強桟３から取外す。
又、ケーブルダクト３１４を枠体補強桟３に取付ける場合は、上記取外す作業と逆の作業を行なえば良い。
【００４２】
補強桟連結金具３２は、繋ぎ部材３１の端面に当接し、繋ぎ部材３１とネジ止め連結される繋ぎ部材連結部３２１と、繋ぎ部材連結部３２１に連設され、天板支持用ブラケット２方向に突出するブラケット連結部３２２より構成されている。
繋ぎ部材連結部３２１は繋ぎ部材３１の端面を閉塞する形状で、前記連結用筒部３１１、３１１に対応して連結孔３２３、３２３を有し、ブラケット連結部３２２には、繋ぎ部材連結部３２１が補強桟連結用切欠き２３１に嵌入した状態で、連結用貫通孔２３３の下方に合致し上下方向に貫通する下連結用貫通孔３２４が形成され、下連結用貫通孔３２４の下端に連続して前記連結ナット嵌合凹部２３２に対応した連結ナット下嵌合凹部３２５、３２５が形成され、下連結用貫通孔３２４、３２４を挟んで、上方に突出し、前記嵌合凹溝２３４・・・に下方から内嵌する嵌合突条３２８が形成されている。
【００４３】
すなわち、天板４が大きい場合や上方に荷重がかかる仕様のときは、天板支持用ブラケット２、２間を枠体補強桟３で連結しておくことで、自立した天板支持体（複数本の脚体１・・・と、脚体１・・・に連結された天板支持用ブラケット２・・・と、天板支持用ブラケット２・・・間を連結する枠体補強桟３・・・よりなる構造体）を構成する事ができる。具体的には、補強桟連結金具３２の連結ナット下嵌合凹部３２５に下連結ナット３２６を回転不能に嵌合保持した状態で、天板支持用ブラケット２の上方から連結ネジ３２０・・・をネジ止めすることにより天板支持体を構成する。
この時、連結ネジ３２０の頭部は連結ナット嵌合凹部２３２内に没入するので、天板支持用ブラケット２の上面に突出することはない。
【００４４】
また、補強桟連結金具３２の繋ぎ部材連結部３２１が補強桟連結用切欠き２３１に嵌入し、嵌合凹溝２３４・・・に嵌合突条３２８・・・が嵌合するので、枠体補強桟３と天板支持用ブラケット２とは、より強固に連結される。
すなわち、天板支持体に水平方向の力が加えられると、枠体補強桟３と天板支持用ブラケット２との間には、連結ネジ３２０を中心にして枠体補強桟３を回動させる方向に力が働くが、繋ぎ部材連結部３２１が補強桟連結用切欠き２３１に嵌入し、嵌合凹溝２３４・・・に嵌合突条３２８・・・が嵌合しているため、枠体補強桟３は天板支持用ブラケット２に対して回動不能であり、枠体補強桟３と天板支持用ブラケット２との連結個所でがたつくことがなく、より強固に連結される。
【００４５】
そして、天板４を前記天板支持体上に載置し、天板支持用ブラケット２の下方から天板連結用ネジ４００によって天板４が連結される。
この構成によると、先に構成しておいた天板支持体と天板４とを下方からのネジ止め作業で連結可能であるため、床面上に裏返しに置いた天板４に脚体１を取付ける組み立て方法と比較して、裏返しのデスクを反転させる手間が要らず、組み立て時の作業性が非常に向上する。
複数のデスクシステムが必要な場合は、前記した本構成による取付け作業を必要数だけ繰り返すこととなり、床面上に裏返しに置いた天板４に脚体１を取付ける組み立て方法と比較して、組み立て時の作業性は、組立てるデスクシステムの数に比例して、格段に向上する。
【００４６】
一方、当初は枠体補強桟３が必要なかったが、後から上方にキャビネットを取付けるなど、業務内容の変化に対応してデスクの仕様、形態を当初の使用状態から発展させる可能性が予測できる場合は、予め天板支持用ブラケット２の連結用ナット嵌合凹部２３２に連結ナット３２６を回転不能に嵌合保持させた状態で天板受部２２と天板４を天板連結用ネジ４００によって連結させておき、脚体１・・・間に補強が必要になった時に、枠体補強桟３のブラケット連結部３２２を天板受部２２２の補強桟連結用切欠き２３１に下方から嵌合させて、連結用貫通孔２３３と下連結用貫通孔３２４を一致させ、連結ナット３２６に天板支持用ブラケット２の下方より連結用貫通孔２３３および下連結用貫通孔３２４を通して連結ネジ３２０を螺合させて、天板支持用ブラケット２と枠体補強桟３を連結し、脚体１・・・間の補強を行なう。
【００４７】
尚、この時、連結ネジ３２０の頭部は連結ナット下嵌合凹部３２５内に没入する。
すなわち、当初は枠体補強桟３を取付けていなかったが、後から構造体の強度アップが必要になった時には、天板支持用ブラケット２・・・間に下方から枠体補強桟３・・・を連結することで、必要な強度アップを、脚体１・・・等を組立て直すことなく、簡単に行なうことが可能である。
【００４８】
尚、図１の実施例では、使用者側とは反対側に位置する３本の脚体１、１、１は、天板４の角部よりも外方に突出した位置に取付けられて、該３本の脚体１、１、１の上端に増設用支柱５、５、５を連結可能としているが、単なるテーブルあるいは机から、業務内容の変化等に対応して、区画用パネル６やキャビネット８を増設する等してワークスペースをより機能的に発展させるには、増設用支柱５が脚体１上に連結できるよう（図２に示す状態）、必要な脚体１・・・を適宜天板４の外側に突出した位置に取付位置がかえられるように、天板４の裏面に天板支持用ブラケット２と連結するための位置決め用嵌入孔、天板連結用螺孔を脚体１の取付位置（天板４の角部よりも外方に突出した位置と、天板４の角部の内側位置）に対応して予め形成しておく。
【００４９】
尚、図１の実施例では、使用者側とは反対側に位置する３本の脚体１、１、１は、天板４の角部よりも外方に突出した位置に取付けられて、該３本の脚体１、１、１の上端に増設用支柱５、５、５を連結可能としているが、単なるテーブルあるいは机として使用する場合は、前記脚体１，１，１は天板４の角部より内側に配置させることは言うまでもない。
【００５０】
この単なるテーブルあるいは机の仕様から、業務内容の変化等に対応して、区画用パネル６やキャビネット８を増設する等して、ワークスペースをより機能的に発展させるには、図２に示すように、増設用支柱５を脚体１上に連結できるよう、脚体１・・・の取付位置を、必要に応じて天板４の外側に突出した位置に変えられるように、天板支持用ブラケット２との位置決め用嵌入孔及び天板連結用螺孔を、脚体１の取付位置（天板４の角部よりも外方に突出した位置と、天板４の角部の内側位置）に対応して、天板４の裏面に予め形成しておく。
【００５１】
増設用支柱５は、図１１に示すように、それぞれが直角に交差し、外面を平坦面とした増設用支柱外面側側壁５１、５１と増設用支柱内面側側壁５２、５２より、上下端面が開口し内部を空洞となした増設用支柱空洞連結部５０を有する横断面略正方形状で、脚体１と横断面同形に形成され、内面側側壁１２および増設用支柱空洞連結部５０の内部に嵌入する嵌合連結部材１００を介して、脚体１の上端に連結される。
そして、増設用支柱内面側側壁５２、５２からなる内面側角部５２０に連設して、上下方向に渡って、キャビネット用ブラケット８０等が取付けられるブラケット支持溝５３、５３が形成され、内面側角部５２０と反対方向でブラケット支持溝５３、５３に平行して、上下方向に渡って区画用パネル取付溝５４、５４が形成され、上端部に脚体キャップ１７と同じ増設用支柱キャップ（図示せず。）が取付けられている。
【００５２】
区画用パネル取付溝５４は、所定間隔を有して互いの方向に突出して外面端部側に形成された係止突片５４１、５４１と、増設用支柱空洞連結部５０側に係止突片５４１、５４１間よりやや小さめの巾を有して増設用支柱空洞連結部５０側に連設された保持凹溝５４２を有している。
そして、保持凹溝５４２の底壁５４３の上下端部には、嵌合連結部材１００と連結するための連結孔５４４・・・がそれぞれ２つづつ形成され、保持凹溝５４２の底壁５４３の所定位置には、区画用パネル６等を支持する為の支持部材嵌合孔５４５・・・が形成されている。
【００５３】
ブラケット支持溝５３は、内面側角部５２０の増設用支空洞連結部５０側に形成された上下方向に貫通するブラケット逃がし孔５３０に挿通する、上下方向に所定間隔を有して形成された複数個の係止孔５３２・・・を有している。
増設用支柱５は上記の如く構成され、嵌合連結部材１００を介して脚体１の上端に連結される。
【００５４】
嵌合連結部材１００は、図１０、図１１に示すように、上下方向中央部分と上下端部所定位置に、増設用支柱５及び脚体１に形成された連結孔５４４・・・、連結孔１４４・・・に対応して・が形成され、脚体１の空洞連結部１０及び増設用支柱５の増設用支柱空洞連結部５０内に蜜嵌する形状に、アルミ材より形成されている。
【００５５】
そして、脚体１と増設用支柱５を連結する時は、増設用支柱５の増設用支柱空洞連結部５０の下端開口に嵌合連結部材１００の上部を差込み、連結ネジ１０５・・・にて増設用支柱５と嵌合連結部材１００を連結する。
【００５６】
次に、増設用支柱５と連結された嵌合連結部材１００の下部を脚体１の空洞連結部１０の上端開口に差込み、連結ネジ１０５・・・にて脚体１と嵌合連結部材１００を連結する。
このとき、横断面寸法が同寸の脚体１および増設用支柱５の連結部分に段差が生じることがないため、意匠性が高い。
尚、嵌合連結部材１００は、図２７に示すように、スチール材を折り曲げて形成された部材を溶接等で連結して構成する事も可能で、増設用支柱５、脚体１内に蜜嵌する形状で連結螺孔１０３・・・が所定位置に形成されておればよい事は言うまでもない。
【００５７】
上記の如く連設された増設用支柱間５、５間、あるいは、脚体１、１間に以下の様にして区画用パネル６、幕板７が取付けられる。
区画用パネル６は、表面がクロス張り等された所定の厚みを有する不透過パネル６１と、ガラスやアクリル材より成り不透過パネルより厚みの薄い透過パネル６２の２種類から構成され、横繋ぎ材６３を介して脚体１あるいは増設用支柱間５、５に上下方向に積載される。
【００５８】
不透過パネル６１は、表面にクロス地６１２、６１２を有して芯材６１１の表裏両面に貼り付けられた表裏板６１３、６１４と、表裏板６１３、６１４の周部内面に取付けられ、端部が外方に突出して増設用支柱５の係止突片５４１、５４１間及び横繋ぎ材６３の後記する上下区画用パネル保持溝６４１に嵌入する嵌入凸縁６１０を有するパネル枠体６１５より構成され、係止突片５４１、５４１間及び横繋ぎ材６３に保持される。
透過パネル６２は、不透過パネル６１より厚みが薄く形成されており、合成樹脂材からなる断面略コ字形の隙間閉塞材６２１を介して係止突片５４１、５４１間及び横繋ぎ材６３に保持される。
【００５９】
横繋ぎ材６３は、アルミ材の押し出し成形により形成された横繋ぎ材本体６４と、横繋ぎ材本体６４の左右端部に取付けられた合成樹脂製の端部閉塞部材６５より構成されている。
横繋ぎ材本体６４は上下端面に、前記脚体１（増設用支柱５）の幕板取付溝１４（区画用パネル取付溝５４）、係止突片１４１、１４１（係止突片５４１、５４１）及び保持凹溝１４２（保持凹溝５４２）と同形の上下区画用パネル保持溝６４１、６４１、係止突片６４２・・・及び上下保持凹溝６４３、６４３が形成され、保持凹溝６４３、６４３間には支持部材６６とネジ止め連結される連結孔６４５を有し、上下左右対称形に形成されている。
【００６０】
端部閉塞部材６５は、横繋ぎ材本体６４の上下区画用パネル保持溝６４１、６４１の側端側部分の端面を閉塞する表面閉塞部６５１、６５１と、表面閉塞部６５１の横繋ぎ材本体６４側に連設され、端部閉塞部材嵌合孔６４４に嵌合する中嵌合連結部６５３と、上下区画用パネル保持溝６４１、６４１に嵌合する上下嵌合連結部６５５、６５５と、表面閉塞部６５１の中嵌合連結部６５３と反対側に連設され係止突片１４１、１４１（係止突片５４１、５４１）間に嵌合する嵌合凸部６５４、６５４より構成されている。
【００６１】
横繋ぎ材６３は、脚体１あるいは増設用支柱５の保持凹溝１４２、５４２に保持される合成樹脂製の支持部材６６に両端部が支持されて取付けられる。
支持部材６６は、脚体１の保持凹溝１４２（増設用支柱５の保持凹溝５４２）に嵌合する大きさの嵌合起立部６６１と、嵌合起立部６６１の下端部で横繋ぎ材６３側に突出し、前記連結孔６４５に対応する連結螺孔６６２を有する支持突部６６３と、嵌合起立部６６１に連設された支持部材嵌合孔１４５・・・に嵌入する嵌入突起６６４より形成されている。
そして、支持突部６６３には、連結螺孔６６２の嵌合起立部６６１側に位置して抜け止め部材６７が嵌合する抜け止め部材嵌合凹部６６５が形成されている。
【００６２】
抜け止め部材６７は、幕板取付溝１４（区画用パネル取付溝５４）に上方から嵌合し、支持部材６６の嵌合起立部６６１の前面側（横繋ぎ材６３側）に位置する位置決め嵌合部６７１と、抜け止め嵌合部６７１の中央部分で前面側（横繋ぎ材６３側）に突出し、側方向端面と係止突片１４１、１４１（係止突片５４１、５４１）の端面間に、前記端部閉塞部材６５の嵌合凸部６５４、６５４が嵌入可能な隙間６７４，６７４を形成した位置決め突部６７２と、位置決め突部６７２の下端部で前面側（横繋ぎ材６３側）に突出し、前記支持突部６６３の抜け止め部材嵌合凹部６６５に上方から嵌合するＴ字形の位置決め嵌合部６７３より構成されている。
【００６３】
区画用パネル６及び横繋ぎ材６３は上記の如く構成され、脚体１あるいは増設用支柱５、５の所定位置に支持部材６６、６６が対向して取付けられ、次に上方より抜け止め部材６７が幕板取付溝１４（区画用パネル取付溝５４）に上方から嵌合して、抜け止め部材嵌合凹部６６５に位置決め嵌合部６７３が嵌合する事で、支持部材６６・・・は、増設用支柱５、５の所定位置に脱落することなく保持される。
次に、横繋ぎ材６３の両端部に端部閉塞部材６５、６５を取付けた状態（中嵌合連結部６５３、上下嵌合連結部６５５、６５５を端部閉塞部材嵌合孔６４４と上下区画用パネル保持溝６４１、６４１に嵌合させた状態）で、嵌合凸部６５４、６５４を位置決め突部６７２に形成された隙間６７４，６７４に上方より嵌合させ、支持部材６６、６６にて支持させて、上方より連結ネジ６３０を連結孔６４５を貫通させ、支持突部６６３の連結螺孔６６２に螺合させて、横繋ぎ材６３を支持部材６６、抜け止め部材６７を介して増設用支柱５、５間の所定位置に配設する。
【００６４】
次に、不透過パネル６１を取付ける場合は、不透過パネル６１の左右両端の嵌入凸縁６１０を、係止突片１４１、１４１（係止突片５４１、５４１）間に上方より嵌入させ、下端部の嵌入凸縁６１０を横つなぎ材６３の区画用パネル保持溝６４１内に嵌合させる。
透過パネル６２を取付ける場合は、厚みが不透過パネル６１より薄く形成されているので、合成樹脂材からなる断面略コ字形の隙間閉塞材６２１を介して係止突片１４１、１４１（係止突片５４１、５４１）間及び横繋ぎ材６３の区画用パネル保持溝６４１内に嵌合させる。
【００６５】
不透過パネル６１、透過パネル６２の高さ方向への枚数を増やすことで、区画用パネル６の全体の高さ寸法を高くすることが可能である。
区画用パネル６の高さを高くする場合（不透過パネル６１、透過パネル６２の高さ方向への枚数を増やす場合）は、前述の方法と同様にして、横繋ぎ材６３と不透過パネル６１または透過パネル６２を必要数取付ける。
【００６６】
他方、当初より脚体１、１間に区画用パネル６を設けて幕板として使用すると、区画用パネル６は上下方向に同一仕様に構成されるので、一つの間仕切りパネルを立設して構成された印象を有し、統一感に溢れたワークステーションを構成することが可能となる。
【００６７】
本実施例の場合は、増設用支柱５・・・間に区画用パネル６・・・を取付けた後、脚体１・・・間に後から取付けられる幕板７について説明する。
幕板７は、脚体１の幕板取付溝１４、保持凹溝１４２、支持部材嵌合孔１４５・・・を利用して所定高さ位置に保持される連結ネジ螺合用部材７１・・・と、前記連結ネジ螺合用部材７１・・・とネジ止め連結される幕板取付金具７２に左右端部が連結されて取付けられる。
【００６８】
連結ネジ螺合用部材７１は、図２２、図２６に示すように、支持部材嵌合孔１４５に嵌入する嵌入突起７１１を裏面側に有し、保持凹溝１４２内に位置する内側回動内嵌部７１２と、内側回動内嵌部７１２に連設され幕板取付溝１４内に位置する外側回動内嵌部と７１３と、外側回動内嵌部７１３の中心部に形成された連結用螺孔７１４と、連結用螺孔７１４の外側位置で幕板７方向に突出する回り止め突起７１５、７１５より構成されている。                  
内側回動内嵌部７１２は、保持凹溝１４２の巾寸法よりやや小さい目の直径で、保持凹溝１４２の深さ寸法とほぼ一致する厚みに形成され、外側回動内嵌部７１３は、短辺寸法は係止突片１４１、１４１間の寸法よりもやや小さく、長辺寸法は係止突片１４１、１４１間の寸法よりも大きい、略長方形に形成されている。
【００６９】
そして、外側回動内嵌部７１３の長辺が上下方向を向いた状態で係止突片１４１、１４１間より内側回動内嵌部７１２と外側回動内嵌部７１３を幕板取付溝１４内に嵌入させ、嵌入突起７１１を支持部材嵌合孔１４５に嵌入させた状態で、連結ネジ螺合用部材７１を９０度回動させ、内側回動内嵌部７１２と外側回動内嵌部７１３を幕板取付溝１４、保持凹溝１４２に蜜嵌させる。
このとき、本実施例では、回り止め突起７１５、７１５は図２２、図２６に示すように上下方向に配置した状態とする。
【００７０】
幕板取付金具７２は、図２６に示すように、連結ネジ螺合用部材７１が取付けられた高さ位置に対応して形成された取付連結孔７３を有し、連結ネジ７０にて連結ネジ螺合用部材７１と連結される外側連結突片７２１と、外側連結突片７２１に連設され、幕板表面板７４の裏面所定位置の上下方向に配設された幕板補強材７５と連結ネジ７０にて連結される裏側連結片７２２と、裏側連結片７２２の内側端部に連設され、幕板補強材７５の内側に連結ネジ７０にて連結される内側連結突片７２３より、横断面略コ字形で、上下寸法は幕板７の高さ寸法にほぼ等しく形成されている。
前記取付連結孔７３は、連結ネジ７０の螺軸が挿通する円形の挿通部７３１と、挿通部７３１の上下方向に連設され、前記連結ネジ螺合用部材７１の回り止め突起７１５、７１５が嵌入する突起嵌入部７３２、７３２より形成されている。
【００７１】
すなわち、回り止め突起７１５、７１５を突起嵌入部７３２、７３２に嵌入させた状態であれば、連結ネジ７０を連結用螺孔７１４に螺合させても、連結ネジ螺合用部材７１はジとともに回動することがないため、確実に連結ネジ螺合用部材７１と幕板取付金具７２は連結される。
【００７２】
そして、上記の如く脚体１・・・に連結された幕板取付金具７２・・・に対し、外側より幕板７を支持した状態で、連結ネジ７０にて、裏側連結片７２２と幕板補強材７５の裏面側とを、さらに、内側連結突片７２３と幕板補強材７５の内側とを連結して、幕板７を連結する。
【００７３】
本実施例では、回り止め突起７１５、７１５および突起嵌入部７３２、７３２は上下方向に配置されているが、これらの位置は連結ネジ７０を中心に対称位置に配置されていればよく、部材の寸法等の事情により横方向に配置されてもよいことは言うまでもない。
【００７４】
次に、増設用支柱５・・・、区画用パネル６・・・の上方にキャビネット８を取付ける場合について説明する。
キャビネット８は、増設用支柱５に取付けられるキャビネット用ブラケット８０に載置連結される。
すなわち、キャビネット用ブラケット８０は、図１９、図２０に示すように、上下方向に所定間隔を有して後方下方に突出し、前記増設用支柱５のブラケット支持溝５３に形成された係止孔５３２・・・に係止する係止爪８０１・・・が後端面に形成された起立基板８０２と、起立基板８０２の上端縁に連設され、内側方向に突出する載置片８０３と、載置片８０３の内側端縁に連設され上方に突出する連結突片８０４より構成されており、連結突片８０４にはキャビネット８の底板８３と連結される連結孔８０５、８０５が形成されている。
【００７５】
キャビネット８は、左右側板８１、８１と、左右側板８１、８１の上下端部間に配設される天板８２、底板８３と、左右側板８１、８１の後端部間に配設される後板（図示せず）にて箱状体と、この箱状体の前面開口部分に扉８４、８４を配設させて構成されている。
そして、底板８３の左右端部側下面には底板補強材８３１が前後方向に配設されており、底板補強材８３１の下面を増設用支柱５の係止孔５３２・・・に係止されたキャビネット用ブラケット８０の載置片８０３上に載置させ、さらに、連結突片８０４の連結孔８０５・・・と、底板補強材８３１の内側面に連結孔８０５・・・に対応して形成された連結用ナット８３２・・・とを連結ネジ８００にてネジ止めすることで、キャビネット８とキャビネット用ブラケット８０は連結される。
【００７６】
机上用サイドパネル９は、後端部は、透過パネル６２と同様の仕様で、隙間閉塞材６２１を介して増設用支柱５の係止突片５４１、５４１間に保持され、前端部は、下端がサイドパネル保持部材９０により天板４の前端部の脚体１に保持される。
【００７７】
サイドパネル保持部材９０は、図２４に示すように、天板４の前端部上面に載置される天板載置部９１と、天板載置部９１の側方側端部に連設されて上方に突出し、机上用サイドパネル９と連結されるサイドパネル連結突片９２と、天板側載置部９１の前端に連設されて下方に垂下し、脚体１の前面に位置するＬ字形の脚体側前面部９３と、脚体側前面部９３の内面側端部に連設されて脚体１の内面側と連結される脚体連結突片９４より構成されており、サイドパネル連結突片９２とＬ字形支持金具９５とにより机上用サイドパネル９の前端部分を挟むことで机上用サイドパネル９の前端部と保持される。
【００７８】
Ｌ字形支持金具９５は、起立突片９５１と載置横片９５２より成り、起立突片９５１にはサイドパネル連結突片９２に形成された連結用螺孔９６及び机上用サイドパネル９の前端部に形成された挿通孔９７に対応して皿ネジ孔９８が形成されている。
【００７９】
一方、サイドパネル保持部材９０は、幕板７の取付けに使用した連結ネジ螺合用部材７１により脚体１に連結される。すなわち、サイドパネル保持部材９０の脚体連結突片９４には連結ネジ螺合用部材７１の回り止め突起７１５、７１５が嵌入可能な形状の取付連結孔９９が形成されており、幕板７の取付けと同様な方法で、連結ネジ９０１により脚体１と連結される。
【００８０】
机上用サイドパネル９を所定位置に取付ける際は、机上用サイドパネル９の後端部に隙間閉塞材６２１を取付けた状態で、机上用サイドパネル９の後端部を隙間閉塞材６２１を介して増設用支柱５の係止突片５４１、５４１間に保持させ、脚体１に連結されたサイドパネル保持部材９０の天板載置部９１上に、机上用サイドパネル９の前端部下端の切欠き部９００を位置させ、前端部分を挟むようにしてサイドパネル連結突片９２にＬ字形支持金具９５を連結ネジ９５０にて連結して、机上用サイドパネル９が所定位置に取付けられる。
【００８１】
机上用載置棚４０は裏面所定個所に載置棚用ブラケット４１の連結孔４５と連結される連結用螺孔（図示せず。）が形成され、載置棚用ブラケット４１は、図２５に示すように、上下方向に所定間隔を有して後方下方に突出し、前記増設用支柱５のブラケット支持溝５３に形成された係止孔５３２・・・に係止する係止爪４２・・・が後端面に形成された起立基板４３と、起立基板４３の上端縁に連設され、内側方向に突出し、前記机上用載置棚４０の連結用螺孔に対応して、前後方向に長い長円形の連結孔４５、４５を有する載置棚載置片４６より構成されている。
【図面の簡単な説明】
【００８２】
【図１】本発明の基本的な構成のときの構造体の斜視図。
【図２】基本的な構成の構造体に増設用支柱を取付ける時の分解斜視図
【図３】基本的な構成の構造体に種々オプション部材を取付けた状態の斜視図
【図４】脚体の横断面図
【図５】脚体の下端部付近の正面図
【図６】図５のＡ−Ａ線断面図
【図７】脚体の上端部付近の正面図
【図８】図７のＢ−Ｂ線断面図
【図９】脚体と天板支持用ブラケットと枠体補強桟の連結状態を示す分解斜視図
【図１０】脚体に増設用支柱を連結し、脚体と天板支持用ブラケットと枠体補強桟を連結した状態の要部断面図
【図１１】脚体に増設用支柱を連結した部分の断面図
【図１２】図１０のＣ−Ｃ線断面図
【図１３】図１２のＤ−Ｄ線断面図
【図１４】横繋ぎ材と支持部材の連結状態を示す要部分解斜視図
【図１５】横繋ぎ材と支持部材の連結状態を示す要部断面図
【図１６】増設用支柱に不透過パネルが連結された状態の断面図
【図１７】増設用支柱に透過パネルが連結された状態の断面図
【図１８】図１６のＥ−Ｅ線断面図
【図１９】キャビネット用ブラケットの斜視図
【図２０】キャビネットとキャビネット用ブラケットを連結した状態の要部断面図
【図２１】脚体と幕板の連結状態を示す要部正面図
【図２２】図２１のＦ−Ｆ線断面図
【図２３】机上用サイドパネルとサイドパネル保持部材の連結状態を示す分解斜視図
【図２４】机上用サイドパネルとサイドパネル保持部材と脚体の連結状態を示す要部側面図
【図２５】机上用載置棚と載置棚用ブラケットの連結状態を示す分解斜視図
【図２６】幕板取付金具と連結ネジ螺合用部材の連結状態を示す分解斜視図
【図２７】他の嵌合連結部材を介して脚体に増設用支柱を連結した部分の断面図
【符号の説明】
【００８３】
１        脚体
１１      外面側側壁
１２      内面側側壁
１２０    角部
１２２    ブラケット連結部
１３      ブラケット支持溝
１４      幕板取付溝
２        天板支持用ブラケット
２１      脚体連結部
２２      天板連結部
２３      補強桟連結部
３        枠体補強桟
４        天板
５        増設用支柱
５３      ブラケット支持溝
５４      区画用パネル取付溝
８        キャビネット
８０      キャビネット用ブラケット
【図１】
2006280797.tif 000003
【図２】
2006280797.tif 000004
【図３】
2006280797.tif 000005
【図４】
2006280797.tif 000006
【図５】
2006280797.tif 000007
【図６】
2006280797.tif 000008
【図７】
2006280797.tif 000009
【図８】
2006280797.tif 000010
【図９】
2006280797.tif 000011
【図１０】
2006280797.tif 000012
【図１１】
2006280797.tif 000013
【図１２】
2006280797.tif 000014
【図１３】
2006280797.tif 000015
【図１４】
2006280797.tif 000016
【図１５】
2006280797.tif 000017
【図１６】
2006280797.tif 000018
【図１７】
2006280797.tif 000019
【図１８】
2006280797.tif 000020
【図１９】
2006280797.tif 000021
【図２０】
2006280797.tif 000022
【図２１】
2006280797.tif 000023
【図２２】
2006280797.tif 000024
【図２３】
2006280797.tif 000025
【図２４】
2006280797.tif 000026
【図２５】
2006280797.tif 000027
【図２６】
2006280797.tif 000028
【図２７】
2006280797.tif 000029